(57)【要約】【課題】船釣りの際に胴づき仕掛けが絡んでしまうのを防止し、船上での餌付け作業性やエダスの取り扱い性を向上する新規な構造からなる舷縁装着型胴づき仕掛け用ハリ置き、およびそれに用いる新規な構造のエダス間ミキイト用仮止め具を提供する。【解決手段】舷縁Ｓ上に載置可能なハリ置き本体２、および舷縁船内壁面に配置可能なミキイト用仮止め具３を設け、同ミキイト用仮止め具３の装着高さ位置を任意に変更、可能とする間隔調節機構７を備え、且つ舷縁への脱着が自在となる仮固定構造体４を組み込んでなるものとした舷縁装着型胴づき仕掛け用ハリ置き１である。【選択図】    図２
2004337109.tif 000002
【特許請求の範囲】
【請求項１】
舷縁上に載置可能な基板部の、船内側配置となる長辺縁に沿ってエダス鞍越え載置用の立上り部を突設、形成し、同船外側配置となる長辺縁に沿ってハリ仮着部を配置、一体化してハリ置き本体を設けた上、該ハリ置き本体から適宜間隔を隔てた舷縁船内壁面に沿って略平行状に装着可能な枝状体に沿い、ハリを仮着上として垂れ下がり状となっているエダス間のミキイト中途部を夫々係止可能とするミキイト抱持部を配置、一体化したミキイト用仮止め具を設け、先のハリ置き本体と該ミキイト用仮止め具との間には、ミキイト用仮止め具の装着高さ位置を変更可能とする間隔調節機構を備え、舷縁適所へ脱着自在とする仮固定構造体を組み込むか、組み込み可能としてなることを特徴とする舷縁装着型胴づき仕掛け用ハリ置き。
【請求項２】
舷縁適所に脱着自在とする仮固定構造体の適所には、舷縁上に載置可能とする基板部の、船内側配置となる長辺縁に沿ってエダス鞍越え載置用とする立上り部を突設、形成し、同船外側配置となる長辺縁に沿ってハリ仮着部を配置してなるハリ置き本体を一体的に組み込むか、または脱着可能に設けたものとする一方、同仮固定構造体の他の適所には、該ハリ置き本体から適宜間隔を隔てた舷縁船内壁面に沿って略平行状に装着可能とする所定長さの枝状体に沿い、同ハリ置き本体にハリが仮着されて垂れ下がり状となったエダス間のミキイト中途部を夫々係止可能とするミキイト抱持部が配置、一体化されてなるミキイト用仮止め具を、その装着高さ位置を変更可能とする間隔調節機構を介して組み込むか、組み込み可能としてなることを特徴とする舷縁装着型胴づき仕掛け用ハリ置き。
【請求項３】
舷縁上に載置可能とする平板状で所定長さとした基板部の、船内側配置となる長辺縁に沿ってエダス鞍越え載置用とする所定高さの立上り部を突設、形成すると共に、同船外側配置となる長辺縁に沿ってハリ仮着部を配置、一体化してなるハリ置き本体を設けた上、該ハリ置き本体から適宜間隔を隔てた舷縁船内壁面に沿って略平行状に装着可能とする所定長さの枝状体に沿い、同ハリ置き本体にハリが仮着されて垂れ下がり状となっているエダス間のミキイト中途部を夫々係止可能とするミキイト抱持部を配置、一体化してなるミキイト用仮止め具を設け、先のハリ置き本体と該ミキイト用仮止め具との間には、ミキイト用仮止め具の装着高さ位置を変更可能とする間隔調節機構を備え、舷縁へ脱着自在とする仮固定構造体を組み込むか、組み込み可能としてなることを特徴とする舷縁装着型胴づき仕掛け用ハリ置き。
【請求項４】
舷縁適所に脱着自在とする仮固定構造体の適所には、舷縁上に載置可能とする基板部の、船内側配置となる長辺縁に沿ってエダス鞍越え載置用とする所定高さの立上り部を突設、形成し、同船外側配置となる長辺縁に沿ってハリ仮着部を配置してなるハリ置き本体を一体的に組み込むか、または脱着可能に設けたものとする一方、同仮固定構造体の他の適所には、該ハリ置き本体から適宜間隔を隔てた舷縁船内壁面に沿って略平行状に装着可能とする所定長さの枝状体に沿い、同ハリ置き本体にハリが仮着されて垂れ下がり状となったエダス間のミキイト中途部を夫々係止可能とするミキイト抱持部が配置、一体化されてなるミキイト用仮止め具を、その装着高さ位置を任意に変更、仮固定可能とする間隔調節機構を介して組み込むか、組み込み可能になるものとし、船内舷縁付近に吹きつける風に抗してエダスやミキイト等、胴づき仕掛けの略全体を保持可能としてなることを特徴とする舷縁装着型胴づき仕掛け用ハリ置き。
【請求項５】
肉厚７ｍｍ前後の平板状で所定長さとして舷縁上に載置可能とした基板部の船内側配置となる長辺縁に沿い、舷縁上１２ｍｍ前後の高さとしてエダス鞍越え載置用とする立上り部を突設、形成し、該立上り部の上縁面、船内側あるいは船外側の何れかに沿い、同立上り部よりも僅かに高い背丈寸法に設定したエダス掛着部を植設してなるものにすると共に、船外側配置となる長辺縁に沿い、ハリ仮着用とする０．５ないし１．０ガウス、望ましくは０．８５ガウス前後のハリ仮着部を配置、一体化したハリ置き本体を設ける一方、該ハリ置き本体から適宜間隔を隔てた舷縁船内壁面に略平行状に装着可能とした所定長さの枝状体に沿い、同ハリ置き本体にハリが吸着され、垂れ下がり状となったエダス間のミキイト中途部を夫々係止可能とするミキイト抱持部を配置、一体化してなるミキイト用仮止め具を設け、先のハリ置き本体と該ミキイト用仮止め具との間には、ミキイト用仮止め具の装着高さ位置を任意に変更、仮固定可能とする間隔調節機構を有し、且つ舷縁への脱着自在な固定を可能とした仮固定構造体を組み込むか、組み込み可能としてなることを特徴とする舷縁装着型胴づき仕掛け用ハリ置き。
【請求項６】
肉厚７ｍｍ前後の平板状で所定長さとして舷縁上に載置可能とする基板部の船内側配置となる長辺縁に沿い、舷縁上１２ｍｍ前後の高さでエダス鞍越え載置用とする立上り部を突設、形成し、該立上り部の上縁面、船内側あるいは船外側の何れかに沿い、同立上り部よりも僅かに高い背丈寸法に設定したエダス掛着部を植設してなるものにすると共に、船外側配置となる長辺縁に沿い、ハリ仮着用とする０．５ないし１．０ガウス、望ましくは０．８５ガウス前後のハリ仮着部を、所定間隔置きに５ないし２０箇所前後、望ましくは１０箇所前後の点在状とするか、または、基板部の略全長に渡って連続状に配置、一体化したハリ置き本体を設ける一方、該ハリ置き本体から適宜間隔を隔てた舷縁船内壁面に略平行状に装着可能とした所定長さの枝状体に沿い、同ハリ置き本体にハリが仮着されたエダス間のミキイト中途部を夫々係止可能とするミキイト抱持部を適宜配置、一体化してなるミキイト用仮止め具を設け、先のハリ置き本体と該ミキイト用仮止め具との間には、ミキイト用仮止め具の装着高さ位置を、無段階的もしくは段階的に任意に変更、仮固定可能とする間隔調節機構を有し、且つ舷縁への脱着自在な固定を可能とした仮固定構造体を組み込むか、組み込み可能としてなることを特徴とする舷縁装着型胴づき仕掛け用ハリ置き。
【請求項７】
仮固定構造体は、舷縁の上面と同船内側下面とに当接可能とするか、あるいは舷縁船内壁面と同船外壁面とに当接可能とした固定挟板および送りネジにより、該固定挟板に向かい進退操作可能とした可動挟板を、携行性を高めるよう折り畳み可能、あるいは分解、組み立て可能に装着してなるものとした、請求項１ないし６何れか一項記載の舷縁装着型胴づき仕掛け用ハリ置き。
【請求項８】
仮固定構造体は、連結本体に対し、操作端にコイン溝を形成した鉛直送りネジ、および舷縁上面に当接可能とした固定挟板、および、舷縁船内側下面に当接可能とし、前記送りネジによって該固定挟板に向かって進退操作可能とした可動挟板を、夫々携行性を高めるよう折り畳み可能、あるいは分解、組み立て可能に装着した上、該固定挟板にはハリ置き本体を、前記連結本体には間隔調節機構を介してミキイト用仮止め具を夫々脱着もしくは折り畳み自在に一体化してなるものとした、請求項１ないし７何れか一項記載の舷縁装着型胴づき仕掛け用ハリ置き。
【請求項９】
間隔調節機構は、仮固定構造体に一体化されたハリ置き本体から１０ないし６０ｃｍ、望ましくは２０ないし３０ｃｍ離れた範囲に渡り、適宜間隔をもって複数形成された仮止め形状部と、操作端にコイン溝を形成した締め付けネジを有する締め付け金具、ならびに、仮止め形状部に対応するミキイト用仮止め具あるいは締め付け金具の少なくとも何れか一方の適所に、任意に選択された何れかの仮止め形状部に仮固定状に係合可能な嵌着部を形成してなる、請求項１ないし８何れか一項記載の舷縁装着型胴づき仕掛け用ハリ置き。
【請求項１０】
ミキイト用仮止め具は、その複数設けられたミキイト抱持部の夫々を、舷縁に装着したときの正面配置においてハリ置き本体の基板部の略全長に沿って所定間隔置きに５ないし２０箇所前後、望ましくは１０箇所前後の点在状となるエダス掛着部に対し、夫々鉛直下方に対応する位置とするか、あるいは、各エダス掛着部間の中間位置、および最外側に位置するエダス掛着部の左右外側となる位置の夫々に配置してなるものとした、請求項５または６何れか一項記載の舷縁装着型胴づき仕掛け用ハリ置き。
【請求項１１】
舷縁上に載置されたハリ置き本体から適宜間隔を隔ててなる舷縁船内壁面に沿い、当該ハリ置き本体に略平行状に装着可能とした所定長さの枝状体を有し、該枝状体に沿って同ハリ置き本体にハリが仮着されて垂れ下がり状となったエダス間のミキイト中途部を夫々係止可能とするミキイト抱持部を配置、一体化すると共に、当該ハリ置き本体からの距離を任意に変更、仮固定可能とする間隔調節機構を設けて舷縁への脱着自在な固定を可能とする仮固定構造体を組み込むか、組み込み可能としてなるものとした、請求項１ないし１０何れか一項記載の舷縁装着型胴づき仕掛け用ハリ置きに使用するエダス間ミキイト用仮止め具。
【請求項１２】
舷縁上に載置されたハリ置き本体から適宜間隔を隔ててなる舷縁船内壁面に沿い、当該ハリ置き本体に略平行状に装着可能とした所定長さの枝状体を有し、該枝状体に沿って同ハリ置き本体にハリが仮着されて垂れ下がり状となったエダス間のミキイト中途部を夫々係止可能とするよう、相対して当接あるいは交叉状となる一対の湾曲状弾性把持片からなるミキイト抱持部を、互いに所定間隔を隔てて配置、一体化すると共に、該枝状体に沿った適宜間隔置き毎に、釣り上げた魚の頭部を上方、尾鰭側を下方に向けた姿勢に一時的に収容可能とするようにした魚受け容器を脱着自在に吊り下げ可能とした容器吊下げ構造が設けられた上、該ハリ置き本体からの距離を任意に変更、仮固定可能とする間隔調節機構を有し、舷縁への脱着自在な固定を可能とする仮固定構造体を組み込むか、組み込み可能としてなるものとした、請求項１ないし１０何れか一項記載の舷縁装着型胴づき仕掛け用ハリ置きに使用するエダス間ミキイト用仮止め具。
【発明の詳細な説明】
【０００１】
【発明の目的】
この発明は、メバル、ホッケ、ソイ、メヌケ、タラ等を始めとする魚類を釣り上げるのに有効な胴づき仕掛けに関連するものであって、特に、船釣りの際に胴づき仕掛けが絡んでしまうのを防止し、船上での餌付け作業性やエダスの取り扱い性を向上すると共に、漁場を移動する際の仕掛けの絡まり防止や釣果の跳ね回りによる絡まり防止等にも役立つようにした新規な構造からなる舷縁装着型胴づき仕掛け用ハリ置き、およびそれに用いる新規な構造のエダス間ミキイト用仮止め具を提供しようとするものである。
【０００２】
【従来の技術】
我が国は、四方を海に囲まれ、身近に豊富な水産資源を有するという恵まれた環境下にあり、漁港から比較的短時間の沖合の釣り場で様々な魚類を対象とする釣りを楽しむことができることから、休祭日ともなれば気軽に家族や友人、知人等多数の人々と連れ立って釣り舟に乗り込み、船縁に並んでの沖釣りを満喫することができ、その際の代表的な狙い魚としては、メバル、ホッケ、ソイ、メヌケ、タラ等を始めとする水深１３０〜１６０ｍ前後の海底に群れをなして生息、回遊している魚があり、こうした魚を釣るには、一般的にミキイトに複数本のエダスを繋いだ胴づき仕掛けが用いられている。
【０００３】
複数本のエダスを有する胴づき仕掛けは、波間に漂って揺れ動くだけではなく、強風に曝され易い船上では絡まり易いため、一つ一つのハリに餌を付ける作業は勿論のこと、餌を付けた後の段階や吊り上げた段階の船上でのエダス同士の絡まりを防止することが難しく、従前から、磁性材料を含有する合成樹脂を平板状に成型した磁気プレートを舷縁上に固定しておき、その磁力によって当該磁気プレート上に各ハリを一時的に吸着、仮固定状となるようにしながらの釣りが行われている。
【０００４】
しかしながら、こうした磁気プレートの吸引力を利用した作業も、多数本からなるエダスがこんがらがるとその先端にあるハリとの関係を見極めるのが頗る難しくなってしまい、餌着けの際には目的のハリのついている筈のエダスを取り違えてしまったり、雨や海水に濡れてたり、寒さも加わってそれでなくても掴み難いエダスが平坦な磁気プレートに貼り付き、個々のエダスを摘み上げるのに苦労したり、悪天時の強風や釣り場を移動する際に船上に入る風に吹かれてエダスが不規則に動いて折角の配列が崩れ、目的のエダスの定めをつかなくしてしまったりと、釣りの最中における船縁での作業性が極めて悪く、最悪の場合には磁気プレート上でエダス同士が絡み合って解けなくなってしまうという事態に陥ることも頻発する。
【０００５】
こうした胴づき仕掛けの舷縁での取り扱いを改良しようとするものとして、例えば特開２００１−３３３６７８号公報の「船べり用釣り仕掛け保持装置」のように、長手方向に細幅のＮ・Ｓ磁極を交互に並べて着磁したハリ保持プレートを設け、複数本のエダスのハリの中、隣接するハリ同士が互いに異なる磁性に磁化されるようにすることによってズレ動きを効果的に抑制し、強風や雨、船からの振動を受けても移動しないよう吸着、固定できるようにした発明や、特開平９−９８３７号公報に開示されている「釣り仕掛けセット投入器」発明のように、釣り仕掛けセット投入板上に複数の釣りハリ掛けフックを配列しておき、胴づき仕掛けのハリを順次フックに掛着して整列させるようにしたもの等々、既に多数の開発事例を見い出すことができる。
【０００６】
その中、前記「船べり用釣り仕掛け保持装置」発明は、ハリに餌を着けてしまうと、ハリが浮いて保持プレートの磁極面との接触状態が悪化してしまい、吸着固定能力が著しく低下し、強風や船からの振動によってハリが外れてしまうことがあり、また、後者の「釣り仕掛けセット投入器」は、餌を着けた後のハリをフックに掛着しようとすると、餌が邪魔になって確実に掛着することが難しく、加えて、仕掛けを海中に投入する際には、掛着された各ハリを速やかに外すことが困難になるという欠点があり、しかも、釣り舟が釣り場へ向けて高速で移動する際には、船内の舷船内壁面に沿って吹き揚げる強風により、舷縁船内側に垂れ下がり状となったエダスおよびミキイトが舞い上って絡み合ってしまうことがある等、時として強風や雨等の荒天に曝されることがある船上での取扱い性に対しては、決して満足てきるものではなかった。
【０００７】
この出願の出願人・発明者は、釣りに係わる長年の経験から、餌を着けたハリを確実に固定できる上、仕掛けを海中に投入する際には、エダスが絡まないようにしながらの簡単且つ整然とした取り外しができ、しかも舷縁船内壁面に沿うように垂れ下がり状となるエダスやミキイトも、舷縁内側に吹く風によって舞い上げられ、絡まり合ってしまうことを確実に防止できる仕掛け用のハリ置きを実現することはできないものかとの判断から、既に特開２００２−３１３３８６号「同づき仕掛け用ハリ置き、およびそれを付属したロッドホルダー」発明を既に開発、完成済みであり、その後も更に研究を継続して幾多の試作、実験を繰り返してきた結果、船上での取り扱いをより確実にする新規な構造の舷縁装着型胴づき仕掛け用ハリ置き、およびそれに用いる新規な構造のエダス間ミキイト用仮止め具を実現化することに成功したものであり、以下では、図面に示すこの発明を代表する実施例と共に、その構成を詳述することとする。
【０００８】
【発明の構成】
図面に示すこの発明を代表する実施例からも明確に理解されるように、この発明に包含される舷縁装着型胴づき仕掛け用ハリ置きは、基本的に次のような構成から成り立っている。
即ち、舷縁上に載置可能な基板部の、船内側配置となる長辺縁に沿ってエダス鞍越え載置用の立上り部を突設、形成し、同船外側配置となる長辺縁に沿ってハリ仮着部を配置、一体化してハリ置き本体を設けた上、該ハリ置き本体から適宜間隔を隔てた舷縁船内壁面に沿って略平行状に装着可能な枝状体に沿い、ハリを仮着上として垂れ下がり状となっているエダス間のミキイト中途部を夫々係止可能とするミキイト抱持部を配置、一体化したミキイト用仮止め具を設け、先のハリ置き本体と該ミキイト用仮止め具との間には、ミキイト用仮止め具の装着高さ位置を変更可能とする間隔調節機構を備え、舷縁適所へ脱着自在とする仮固定構造体を組み込むか、組み込み可能としてなる構成を要旨とする舷縁装着型胴づき仕掛け用ハリ置きである。
【０００９】
この基本的な構成を、他の表現によって換言するならば、舷縁適所に脱着自在とする仮固定構造体の適所には、舷縁上に載置可能とする基板部の、船内側配置となる長辺縁に沿ってエダス鞍越え載置用とする立上り部を突設、形成し、同船外側配置となる長辺縁に沿ってハリ仮着部を配置してなるハリ置き本体を一体的に組み込むか、または脱着可能に設けたものとする一方、同仮固定構造体の他の適所には、該ハリ置き本体から適宜間隔を隔てた舷縁船内壁面に沿って略平行状に装着可能とする所定長さの枝状体に沿い、同ハリ置き本体にハリが仮着されて垂れ下がり状となったエダス間のミキイト中途部を夫々係止可能とするミキイト抱持部が配置、一体化されてなるミキイト用仮止め具を、その装着高さ位置を変更可能とする間隔調節機構を介して組み込むか、組み込み可能としてなる構成の舷縁装着型胴づき仕掛け用ハリ置きとなる。
【００１０】
これら基本的な構成による舷縁装着型胴づき仕掛け用ハリ置きを、より具体的なものとして示すと、舷縁上に載置可能とする平板状で所定長さとした基板部の、船内側配置となる長辺縁に沿ってエダス鞍越え載置用とする所定高さの立上り部を突設、形成すると共に、同船外側配置となる長辺縁に沿ってハリ仮着部を配置、一体化してなるハリ置き本体を設けた上、該ハリ置き本体から適宜間隔を隔てた舷縁船内壁面に沿って略平行状に装着可能とする所定長さの枝状体に沿い、同ハリ置き本体にハリが仮着されて垂れ下がり状となっているエダス間のミキイト中途部を夫々係止可能とするミキイト抱持部を配置、一体化してなるミキイト用仮止め具を設け、先のハリ置き本体と該ミキイト用仮止め具との間には、ミキイト用仮止め具の装着高さ位置を変更可能とする間隔調節機構を備え、舷縁へ脱着自在とする仮固定構造体を組み込むか、組み込み可能としてなる舷縁装着型胴づき仕掛け用ハリ置きということができる。
【００１１】
換言すれば、舷縁適所に脱着自在とする仮固定構造体の適所には、舷縁上に載置可能とする基板部の、船内側配置となる長辺縁に沿ってエダス鞍越え載置用とする所定高さの立上り部を突設、形成し、同船外側配置となる長辺縁に沿ってハリ仮着部を配置してなるハリ置き本体を一体的に組み込むか、または脱着可能に設けたものとする一方、同仮固定構造体の他の適所には、該ハリ置き本体から適宜間隔を隔てた舷縁船内壁面に沿って略平行状に装着可能とする所定長さの枝状体に沿い、同ハリ置き本体にハリが仮着されて垂れ下がり状となったエダス間のミキイト中途部を夫々係止可能とするミキイト抱持部が配置、一体化されてなるミキイト用仮止め具を、その装着高さ位置を任意に変更、仮固定可能とする間隔調節機構を介して組み込むか、組み込み可能になるものとし、船内舷縁付近に吹きつける風に抗してエダスやミキイト等、胴づき仕掛けの略全体を保持可能としてなる構成とした舷縁装着型胴づき仕掛け用ハリ置きとなる。
【００１２】
そして、望ましい態様によるものとしては、肉厚７ｍｍ前後の平板状で所定長さとして舷縁上に載置可能とした基板部の船内側配置となる長辺縁に沿い、舷縁上１２ｍｍ前後の高さとしてエダス鞍越え載置用とする立上り部を突設、形成し、該立上り部の上縁面、船内側あるいは船外側の何れかに沿い、同立上り部よりも僅かに高い背丈寸法に設定したエダス掛着部を植設してなるものにすると共に、船外側配置となる長辺縁に沿い、ハリ仮着用とする０．５ないし１．０ガウス、望ましくは０．８５ガウス前後のハリ仮着部を配置、一体化したハリ置き本体を設ける一方、該ハリ置き本体から適宜間隔を隔てた舷縁船内壁面に略平行状に装着可能とした所定長さの枝状体に沿い、同ハリ置き本体にハリが吸着され、垂れ下がり状となったエダス間のミキイト中途部を夫々係止可能とするミキイト抱持部を配置、一体化してなるミキイト用仮止め具を設け、先のハリ置き本体と該ミキイト用仮止め具との間には、ミキイト用仮止め具の装着高さ位置を任意に変更、仮固定可能とする間隔調節機構を有し、且つ舷縁への脱着自在な固定を可能とした仮固定構造体を組み込むか、組み込み可能としてなる舷縁装着型胴づき仕掛け用ハリ置きであるということができる。
【００１３】
また、より望ましい構造のものとして示すならば、肉厚７ｍｍ前後の平板状で所定長さとして舷縁上に載置可能とする基板部の船内側配置となる長辺縁に沿い、舷縁上１２ｍｍ前後の高さでエダス鞍越え載置用とする立上り部を突設、形成し、該立上り部の上縁面、船内側あるいは船外側の何れかに沿い、同立上り部よりも僅かに高い背丈寸法に設定したエダス掛着部を植設してなるものにすると共に、船外側配置となる長辺縁に沿い、ハリ仮着用とする０．５ないし１．０ガウス、望ましくは０．８５ガウス前後のハリ仮着部を、所定間隔置きに５ないし２０箇所前後、望ましくは１０箇所前後の点在状とするか、または、基板部の略全長に渡って連続状に配置、一体化したハリ置き本体を設ける一方、該ハリ置き本体から適宜間隔を隔てた舷縁船内壁面に略平行状に装着可能とした所定長さの枝状体に沿い、同ハリ置き本体にハリが仮着されたエダス間のミキイト中途部を夫々係止可能とするミキイト抱持部を適宜配置、一体化してなるミキイト用仮止め具を設け、先のハリ置き本体と該ミキイト用仮止め具との間には、ミキイト用仮止め具の装着高さ位置を、無段階的もしくは段階的に任意に変更、仮固定可能とする間隔調節機構を有し、且つ舷縁への脱着自在な固定を可能とした仮固定構造体を組み込むか、組み込み可能とした舷縁装着型胴づき仕掛け用ハリ置きとなる。
【００１４】
ハリ置き本体は、胴づき仕掛けに設けられた複数本のハリを、舷縁上に沿って整然と配置、吸着して仮固定状とすることにより、船が高速移動するときや、海風の吹きつけ等によるハリスの混乱や絡まり等を防止する機能を果たすものであり、舷縁上に沿って装着可能な程度の幅寸法に設定された所定長さの基板部を有し、同基板部の船外側となる長辺縁部付近には、複数のハリ仮着部を、所定間隔毎に点在に設けるか、あるいは、ハリ置き箇所毎にＮ極とＳ極とを交互に配した帯状のハリ仮着部を、長辺に沿って設けたものとしなければならず、船内側の長辺縁部付近には、レール状をなして上方に向けて僅かに突出し、ハリがハリ仮着部に吸着されたエダスの中途部を、鞍越え載置状とする立上り部を設けたものとすべきであり、該立上り部付近には、鞍越え載置状となったエダスの中途部を、横ズレしないよう係止して隣接するエダス同士が絡まるのを防止するエダス掛着部を、該基板部の長辺に沿う略等間隔毎のハリ置き箇所に対応する複数箇所か、あるいはハリ置き箇所に対応する範囲を含む略全長に渡って設けるのが望ましい。
【００１５】
基板部は、ハリ仮着部や立ち上がり部等を一体的に形成すると共に、舷縁上に安定的に接地可能とし、仮固定構造体の適所か、その固定挟板に対して折り畳み自在、もしくは脱着自在に装着可能とする機能を果たし、一般的な寸法設定の胴づき仕掛けにおける各エダスを、絡ませずに餌付け等の作業を容易に行える程度の間隔を隔てて配列可能とする程度の全長寸法に設定されたものとすべきであり、比較的軟質な合成樹脂素材や、鉄、アルミニウム等の金属素材、あるいは天然木素材等から形成したものとすることが可能であり、比較的硬質な金属製の場合には、適所に連結構造や連結ボルトを設け、比較的軟質な合成樹脂や木製の場合には、適所に補強材を施し、その補強構造に対して連結構造や連結ボルトを設ける等、使用素材の強度に応じた適宜構造によって仮固定構造体の適所、あるいはその固定挟板の適所に脱着自在または折り畳み自在に装着されたものとするのが望ましい。
【００１６】
ハリ仮着部は、長尺平板状に形成された基板部の、舷縁上に設置された際の船外側となる辺縁側に沿って、胴づき仕掛けの各エダス先端に設けられたハリを、所定間隔置き毎の点在状に配列させるよう吸着し、餌付けや仕掛け作り等の釣りの準備から海中への投入までの間や、釣り上げた後のエダス同士の絡まりを防止するよう一時的に仮固定する機能を果たすものであり、釣り船の高速移動によって発生する強風や、餌の重み等によって不用意に外れてしまわない程度の強さで各ハリを仮固定状とする上、手指による摘みあげによって比較的容易に取り外すことができる程度の吸着強度に設定されたものとしなければならず、磁性金属製の釣りハリを吸着可能な永久磁石を使用するのが望ましいが、携行や保管の際に周辺物に磁気の影響を与えないよう、不使用時に磁力線を遮断できる閉鎖・開放機構を設けた永久磁石や、電気の供給・停止スイッチを設けた電磁石等を用いたものとすることも可能である。
【００１７】
立上り部は、釣りハリがハリ仮着部に吸着され、仮固定状とされた各エダスのハリ付近における中途部を、雨や風の吹きつけるような悪天候のときにも、手指によって摘み上げ、ハリに餌を付けたり、仕掛け先端側から順にハリを外して海中へ投入したりすること等が容易にできるよう、僅かに浮き上げ状となるよう支持する機能を果たし、波立つ海上を移動中の激しく振動する船上で、しかも風雨が吹きつけるような条件下であっても、細いエダスを手指によって容易に摘み揚げることができる程度に、エダス中途部を舷縁上面から浮かせた状態に支持可能とするよう上縁の高さ寸法を設定しなければならず、しかも船内側から吸着、仮固定されているハリ先の餌を容易に見ることができ、各エダスの状態を一目で確認できる程度の高さに設定すべきであり、エダスの横ズレを防止するために、立上り部の船外側、上縁または船内側の何れかの箇所、あるいはこれらの範囲に渡ってブラシ状あるいは櫛状のエダス掛着部を植設したものとするのが望ましく、各エダスを配置する所定間隔置き毎か、あるいは立上り部の全長に渡る上縁部にエダス中途部を係止可能な凹欠状溝部を、所定間隔毎および／または連続状に形成したものとすることができる。
【００１８】
ミキイト用仮止め具は、釣りハリをハリ仮着部に吸着、固定された各エダス間のミキイト中途部の夫々を、容易に脱着可能な状態に保持あるいは係止して仕掛けの絡まりを、より確実に防止可能とする機能を果たすものであり、ハリ置き本体の長さ寸法と略同等の長さ寸法を有する枝状体からなり、舷縁船内壁面に沿って仮固定状に装着されるものとし、その枝状体に沿う略全長に渡り、あるいは所定間隔置き毎にミキイト中途部を仮止め可能とするミキイト抱持部を設けたものとしなければならず、例えば、複数設けられたミキイト抱持部の夫々を、舷縁に装着したときの正面配置においてハリ置き本体の基板部の略全長に沿って所定間隔置きに５ないし２０箇所前後、望ましくは１０箇所前後の点在状となるエダス掛着部に対し、夫々鉛直下方に対応する位置とするか、あるいは、各エダス掛着部間の中間位置、および最外側に位置するエダス掛着部の左右外側となる位置の夫々に配置してなるものとするのが望ましく、舷縁上に設置されたハリ置き本体からの距離を、段階的あるいは無段階的に変更移動および仮固定可能とする間隔調節機構を有するものとすべきであり、一箇所または複数箇所に釣り上げた魚を一時的に収容可能な魚受け容器を装着可能な構造とすることができる。
【００１９】
仮固定構造体は、ハリ置き本体を、舷縁上面に沿って平置き状に装着し、不用意に脱落しない程度に十分な強度で舷縁に脱着自在に仮固定可能とし、しかもハリ置き本体の下方となる舷縁船内側壁面に沿ってミキイト用仮止め具を仮固定状に配置、装着可能とするという機能を果たし、舷縁の水平肉厚方向から挟み込むか、あるいは舷縁を上下方向から挟み込む一対の挟板を設けたものや、複数適所の夫々に船体表面に吸着可能な吸盤を設けたもの、あるいは、粘着剤を利用して一時的に粘着固定可能なもの等とすることができ、舷縁の上面と同船内側下面とに当接可能とするか、あるいは舷縁船内壁面と同船外壁面とに当接可能とした固定挟板および送りネジにより、該固定挟板に向かい進退操作可能とした可動挟板を、携行性を高めるよう折り畳み可能、あるいは分解、組み立て可能に装着してなるものとすることができる。
【００２０】
この仮固定構造体をさらに具体的に示すと、連結本体に対し、操作端にコイン溝を形成した鉛直送りネジを設け、舷縁上面に当接可能とした固定挟板、および舷縁船内側下面に当接可能とし、前記送りネジによって該固定挟板に向かって進退操作可能とした可動挟板を、夫々携行性を高めるよう折り畳み可能、あるいは分解、組み立て可能に装着した上、該固定挟板にはハリ置き本体を、前記連結本体には間隔調節機構を介してミキイト用仮止め具を夫々脱着もしくは折り畳み自在に一体化したものとすることができる。
【００２１】
【関連する発明】
上記した舷縁装着型胴づき仕掛け用ハリ置きに関連して、この発明には、これに用いるエダス間ミキイト用仮止め具も包含しており、その構造は基本的に次のとおりのものである。
即ち、舷縁上に載置されたハリ置き本体から適宜間隔を隔ててなる舷縁船内壁面に沿い、当該ハリ置き本体に略平行状に装着可能とした所定長さの枝状体を有し、該枝状体に沿って同ハリ置き本体にハリが仮着されて垂れ下がり状となったエダス間のミキイト中途部を夫々係止可能とするミキイト抱持部を配置、一体化すると共に、当該ハリ置き本体からの距離を任意に変更、仮固定可能とする間隔調節機構を設けて舷縁への脱着自在な固定を可能とする仮固定構造体を組み込むか、組み込み可能としてなるものとした、上記までに既述してあるこの発明の舷縁装着型胴づき仕掛け用ハリ置きに使用するエダス間ミキイト用仮止め具である。
【００２２】
より具体的には、舷縁上に載置されたハリ置き本体から適宜間隔を隔ててなる舷縁船内壁面に沿い、当該ハリ置き本体に略平行状に装着可能とした所定長さの枝状体を有し、該枝状体に沿って同ハリ置き本体にハリが仮着されて垂れ下がり状となったエダス間のミキイト中途部を夫々係止可能とするよう、相対して当接あるいは交叉状となる一対の湾曲状弾性把持片からなるミキイト抱持部を、互いに所定間隔を隔てて配置、一体化すると共に、該枝状体に沿った適宜間隔置き毎に、釣り上げた魚の頭部を上方、尾鰭側を下方に向けた姿勢に一時的に収容可能とするようにした魚受け容器を脱着自在に吊り下げ可能とした容器吊下げ構造が設けられた上、該ハリ置き本体からの距離を任意に変更、仮固定可能とする間隔調節機構を有し、舷縁への脱着自在な固定を可能とする仮固定構造体を組み込むか、組み込み可能としてなるものとした、この発明が包含する舷縁装着型胴づき仕掛け用ハリ置きに使用するエダス間ミキイト用仮止め具であるとすることができる。
【００２３】
枝状体は、ハリがハリ仮着部に付着状とされた上、立上り部を鞍越え状に乗り越えて船内側に垂れ下がり状となっている胴づき仕掛けの各エダスおよびこれらエダスが繋がれたミキイト中途部を、絡まり合わないよう緊張状あるいは緩やかに掛け渡した状態に保持可能とするよう、複数のミキイト抱持部を夫々所定位置に固定的に支持可能とする機能を果たし、比較的硬質であって強風の吹きつけや、ミキイトを引き外すとき等に不用意に変形しない程度の強度を有する硬質合成樹脂や金属、木材等の形状維持が可能な素材から形成されたものとしなければならず、棒状、平板状あるいは金属棒や合成樹脂素材を細枠状に成型したワイヤフレーム状等、様々な形状のものとすることができ、魚受け容器を装着可能な構造とする場合には、その重量を安定支持できる程度に十分な強度を有するものとしなければならない。
【００２４】
ミキイト抱持部は、ハリ仮着部にハリが吸着され、エダス中途部が立上り部を鞍越え状に乗り越えて船内側に垂れ下がり状となったエダス基端側および／または各エダスが繋がれたミキイト中途部の複数箇所を、互いに絡まり合わないよう仮止め状に保持する機能を果たすものであり、少なくとも枝状体に沿ってハリ置き本体に吸着されるエダス数に略相当する程度の複数個を、連続的にあるいは等間隔を隔てて設けたものとすべきであり、例えば、表面の略全体に渡って粘着材層を被着させ、エダス基端側やミキイト中途部等を貼着状に仮固定してしまうものや、表面の長さ方向に沿って点在する複数適所にの夫々に、先端側が鈎状に折曲形成された複数本の起毛、あるいは茸状か傘状に先端側が拡大された複数本の小片からなり、エダス基端側やミキイト中途部等を掛着状に保持可能とするよう形成することが可能である外、表面の長さ方向に沿って点在状となる複数箇所の夫々に、軟質合成樹脂製であって一対をなす湾曲形状弾性把持片の先端同士を交叉状あるいは当接状とするよう植設し、この対をなす湾曲形状弾性把持片間にエダス基端側やミキイト中途部等を挟持させるよう保持できるものとすることも可能である。
【００２５】
間隔調節機構は、舷縁上に装着されたハリ置き本体の船内側下方に配置されたミキイト用仮止め具の上下位置、換言すればハリ置き本体からの距離を段階的あるいは無段階的に調節および仮固定可能とし、胴づき仕掛けによって異なるエダス長さやミキイト長さに適宜対応可能とする機能を果たし、ミキイト用仮止め具を、選択された任意の高さ位置に移動自在および仮固定可能であり、しかも枝状体を船内壁面に沿ってハリ置き本体に対して略平行状の姿勢を維持したまま仮固定できるものとしなければならず、ミキイト用仮止め具を凡そ９０゜回動させて仮固定構造体に略平行状に折曲可能とした折畳構造や、あるいはミキイト用仮止め具を、仮固定構造体から取外し可能な分解、組立構造を兼ね備えたものとすることが可能であり、仮固定構造体とは別体に形成された複数のリンク機構を組み合わせてなる伸縮機構体およびその伸縮機構体を任意の長さに仮固定可能とする固定構造を設けたものとすることができる外、仮固定構造体に一体化されたハリ置き本体から１０ないし６０ｃｍ、望ましくは２０ないし３０ｃｍ離れた範囲に渡り、適宜間隔をもって複数形成された仮止め形状部と、操作端にコイン溝を形成した締め付けネジを有する締め付け金具、ならびに、仮止め形状部に対応するミキイト用仮止め具あるいは締め付け金具の少なくとも何れか一方の適所に、任意に選択された何れかの仮止め形状部に仮固定状に係合可能な嵌着部を形成してなるものとすることが可能である。
以下では、図面に示すこの発明を代表する実施例と共に、その構造について詳述することとする。
【００２６】
【実施例１】
図１の分解された舷縁装着型胴づき仕掛け用ハリ置きの斜視図、図２の舷縁に装着された舷縁装着型胴づき仕掛け用ハリ置きの斜視図、図３の折り畳み状態の断面化された仮固定構造体の側面図、図４の折り畳まれた舷縁装着型胴づき仕掛け用ハリ置きの側面図、図５の使用状態にある舷縁装着型胴づき仕掛け用ハリ置きの斜視図、図６の使用状態にあるハリ置き本体の側面図、および、図７の釣り上げた胴づき仕掛けを掛着した舷縁装着型胴づき仕掛け用ハリ置きの斜視図には、この発明の舷縁装着型胴づき仕掛け用ハリ置きの最も代表的な事例を取り上げている。
【００２７】
即ち、舷縁Ｓ上に載置可能な基板部２１の船内側配置となる長辺縁に沿い、エダス鞍越え載置用の立上り部２３を突設すると共に、同船外側配置となる長辺縁に沿い、ハリ仮着部２２を配置してハリ置き本体２を設けた上、該ハリ置き本体２から適宜間隔を隔てた舷縁Ｓ船内壁面に同ハリ置き本体２に略平行状に装着可能とする枝状体３１に沿い、ハリ置き本体２にハリ９３，９３，……が吸着され、垂れ下がり状となったエダス９２，９２，……間のミキイト９１中途部を夫々係止可能とするミキイト抱持部３４，３４，……を配置したミキイト用仮止め具３を設け、先のハリ置き本体２と該ミキイト用仮止め具３との間には、ミキイト用仮止め具３の装着高さ位置を任意に変更、仮固定可能とする間隔調節機構７を有し、且つ舷縁Ｓへの脱着自在な固定が可能な仮固定構造体４が組み込まれてなるものとした、この発明の基本的な構成を備えた舷縁装着型胴づき仕掛け用ハリ置き１における代表的な一実施例である。
【００２８】
当該舷縁装着型胴づき仕掛け用ハリ置き１は、基本的に、仮固定構造体４の適所に対してハリ置き本体２およびミキイト用仮止め具３を、互いに所定の間隔および配置とするよう一体的に組み合わせ可能としたものであり、該仮固定構造体４は、図３中に示すように、アルミニウムやステンレス等の金属製あるいはポリカーボネートや各種ＦＲＰ等の硬質合成樹脂製であって高さ２０ないし２５ｃｍ、幅３ないし５ｃｍ、厚み２ｃｍ程度の略直方体状に形成された連結本体４１の上端側に舷縁Ｓ上面に当接する固定挟板５を、これよりも下方には舷縁Ｓ下面に当接し、固定挟板５に対して進退（上下）移動可能とした可動挟板６を設けたものとなっている。
【００２９】
固定挟板５は、幅約１０ｃｍ、高さ約２ｃｍ、奥行約７ｃｍの肉厚平板状であって上面略中央に船外側縁から船内側縁付近に掛けて、後述するハリ置き本体２を連結可能とする連結溝５３が刻設されると共に、船内側縁の幅寸法略中央に皿ネジ４２の先端部が収容される凹欠部分が形成された接合用樹脂板５２に対し、幅約１０ｃｍ、高さ約２ｃｍ、奥行約５ｃｍの縦断面Ｌ字形状の金属製補強板５１が、接着剤あるいはボルト結合によって強固に一体化されたものであり、連結本体４１上端の幅寸法略中央部分に船内側から船外側へ貫通させた折り畳み用回転軸を兼ねた皿ネジ４２の先端に、該金属製補強板５１の幅寸法中央部分を貫通するよう装着し、接合用樹脂板５２の凹欠部分内に露出状となった皿ネジ４２先端に、抜止め用の二個のナット４３，４３を螺着、締め付けすることにより、連結本体４１上端の船外側面に対し、皿ネジ４２を軸芯として同図中に二点鎖線で示す折畳み姿勢と、実線表示による舷縁Ｓ取付け姿勢とに自在に回動させることが可能であり、しかも連結本体４１に対して上下方向固定状に一体化されたものとなっている。
【００３０】
連結本体４１は、その内部中央上下間の略全長に渡ってＭ７ないしＭ１０程度の鉛直送りネジ４４が、その両端付近を鉛直軸芯回りに回動自在とするよう枢着されると共に、同連結本体４１の下端面に露出あるいは貫通状に突設された下端をコイン溝４５が刻設された操作端として装着され、同鉛直送りネジ４４の中途部には、連結本体４１の船外側壁面中央の所定上下範囲に渡って水平方向に貫通する直線状の緊定用長孔４７を穿設し、連結本体４１の外部に露出状となる水平ネジ４８を一体的に突設した送りナット４６が螺着されている。
【００３１】
可動挟板６は、幅約９ｃｍ、高さ約２ｃｍ、奥行約６ｃｍの肉厚平板状の接合用樹脂板６２に対して幅約９ｃｍ、高さ約２ｃｍ、奥行約４ｃｍの縦断面Ｌ字形状の金属製補強板６１を強固に一体化することによって形成されており、該金属製補強板６１の幅寸法中央部分を、連結本体４１緊定用長孔４７から突出した前記水平ネジ４８の先端に貫通状に装着し、接合用樹脂板６２の凹欠部分内に露出する水平ネジ４８先端に抜止め用のナット４３，４３を螺着、締め付け、連結本体４１の船外側面に対し、該水平ネジ４８を軸芯に図３中二点鎖線で示される折畳み姿勢、および実線で示す舷縁Ｓ取付け姿勢に回動可能であると共に、連結本体４下端に露出する鉛直送りネジ４４操作端をコイン溝４５を介して正逆回動操作することにより、連結本体４１に対して上下方向に移動、および任意の上下位置に仮固定状態に支持されたものとすることが可能な構造となっている。
【００３２】
ハリ置き本体２は、図１中に示すように、長さ６０ないし７０ｃｍ程度、幅約３ｃｍの平板状に形成された基板部２１を有し、舷縁Ｓ装着の際に船外側となる長辺縁付近に沿う上面には、両端間に渡って長尺平板状に形成された永久磁石からなるハリ仮着部２２が一体的に結合され、基板部２１とハリ仮着部２２とを合わせた肉厚寸法が７ｍｍ前後になるよう設定されており、船内側となる長辺縁には、その全長に渡って舷縁Ｓ上１２ｍｍ前後の突出寸法とした厚み寸法２ｍｍ前後の立上り部２３が突設され、該立上り部２３の船外側に隣接する位置には、基板部２１の略全長に渡る範囲の等間隔となる１１箇所に、複数本のブラシ状起毛材からなるエダス掛着部２４，２４，……が点在状に植設されたものとなっている。
【００３３】
ハリ仮着部２２は、前述のように長尺平板状に形成することができる外、肉厚寸法を７ｍｍ前後に設定した基板部２１の略全長に渡る範囲の等間隔となる１１箇所の夫々に、上端吸着面をＳ極またはＮ極、下端面をそれとは逆の極とし、隣合う吸着面同士を互いに異なる極に設定するか、あるいは、Ｓ極、Ｎ極に拘らず自由に配列した図示しない個別の永久磁石片を埋設し、各上端吸着面を基板部２１上面に面一状に露出させたものとするか、もしくは、各上端吸着面を長尺平板状の一枚の磁性金属製薄板によって被覆し、平滑面状としたものとすることが可能である外、一端をＳ極、他端をＮ極とした短尺帯板状の永久磁石１０個を、ハリ置き本体２の長辺に沿って夫々、Ｓ極同士、Ｎ極同士を突き合わせ状、あるいはＳ極にＮ極、Ｎ極にＳ極を突き合わせるように交互に配列させ、これら永久磁石の上面および船外側となる長辺縁の全体に長尺板枠状の一枚の磁性金属製薄板を被覆、隠蔽状とし、基板部２１上面および船外側長辺縁を平滑面状に仕上げたものとすること等も可能である。
【００３４】
ハリ置き本体２の長さ方向の略中央における、舷縁Ｓへの装着の際に船内側となる立上り部２３の船内側壁面には、図１および図３中に示すように、一方の側縁に鋭角三角板状の横ズレ防止リブ２６が下向に突設され、固定挟板５の連結溝５３に嵌合状に装着可能な平板片状に形成した連結用舌片２５を水平状一体に突設し、該連結用舌片２５の先端側略中央には、鉛直方向に貫通する固定孔２７を穿孔し、同連結用舌片２５を固定挟板５接合用樹脂板５２の連結溝５３に嵌合状に装着すると共に、その先端側を補強板５１と接合用樹脂板５２との間に挿込んだ上、該固定孔２７に対応する補強板５１に穿設された皿孔５４、および接合用樹脂板５２の該皿孔５４に同心状に対応する箇所に穿設されたネジ孔５５に、固定ネジ５６を螺着させることにより、ハリ置き本体２を固定挟板５の先端縁に対して脱抜不能に仮固定可能としたものとなっている。
【００３５】
ミキイト用仮止め具３は、図１中に示されるように、前記ハリ置き本体２と略同等の、長さ６０ないし７０ｃｍ程度、幅約２．５ｃｍ、肉厚約３ｍｍの平板状であって舷縁Ｓの船内側壁面に沿って配置された際に下側端となる長辺縁の全長に渡り、約５ｍｍ幅の補強リブ３２が突設された枝状体３１を有し、該枝状体３１の全長中央箇所には、肉厚方向に貫通する取付け孔３３が穿孔され、同取付け孔３３を含む中央付近の所定範囲によって左右に分けられた船内側面の夫々に、互いに等間隔を隔てて配置され、軟質合成樹脂製であって先端側同士を当接状あるいは交叉状とした一対の湾曲状弾性把持片からなる、左右６個ずつ合計１２個のミキイト抱持部３４，３４，……を植設し、さらに枝状体３１長尺方向に略等間隔となる複数適所には、ミキイト抱持部３４，３４，……よりも下側、補強リブ３２よりも上側となる位置に肉厚方向に貫通する吊着孔３６，３６，……が穿孔され、これら吊着孔３６，３６，……の夫々に、直径７ないし１０ｃｍ程度のペットボトルの上部を切除したような有底円筒状もしく折り畳み可能な牛乳用紙パックと略同様の寸法に設定され、その上部を開放した有底矩形筒状に形成され、底部付近に水抜き部を有し、上部開口縁適所に吊着金具を設けた合成樹脂製の魚受け容器３７，３７，……を吊着可能とした容器吊下げ構造３５を設け、また取付け孔３３の左右側に隣接する位置となる枝状体３１の船外側壁面には夫々、短尺円柱状の嵌合部７３，７３が突設されている。
【００３６】
図３中に示すように、連結本体４１の船内側壁面の僅かに下側寄りとなる中央には、上下約１０ｃｍに渡り、間隔調節用長孔７１を穿設し、同間隔調節用長孔７１左右側上下端間には、図１中に示すように、上下に隣接するもの同士が互いに等間隔を隔てて配置され、ミキイト用仮止め具３に突設した左右一対の嵌着部７３，７３を、上位、中位、下位の各高さ位置において夫々嵌合可能とする円柱形孔からなる仮止め形状部７２，７２，……が穿孔されたものとなっており、連結本体４１中には、間隔調節用長孔７１内側縁に係合する基板の中央に、同間隔調節用長孔７１から外側（船内側）に突出するボルト部分を立設させた案内ボルト８１を設け、この案内ボルト８１の突出端にミキイト用仮止め具３の取付け孔３３を貫通状に装着可能とし、さらに案内ボルト８１の先端には、ミキイト用仮止め具３船内側壁面に当接する矩形平板状の座金板８２、および弾性樹脂素材からなる緩み止め用ワッシャー８３を順次装着した上、締付けネジ８４によって締め付けるものとなっている。
【００３７】
締付けネジ８４は、船外側に向けられた先端側の外周面に形成されたナット用ネジ山範囲８５に締付けナット８６が螺着され、船内側となる頭部（操作端）８７にコイン溝８８を刻設し、軸芯部分に穿孔されたネジ孔８９を、前記案内ボルト８１の先端に螺着、締め付けし、さらに締付けナット８６を締め付けて緩まないよう強固に仮固定可能な構造となっている。
【００３８】
【実施例２】
図８の舷縁に装着された舷縁装着型胴づき仕掛け用ハリ置きの斜視図に示される事例は、この発明の舷縁装着型胴づき仕掛け用ハリ置きに包含される他の一実施例を示すものであり、舷縁Ｓ船内側壁面に当接する固定挟板５と、舷縁Ｓ船外側壁面に当接する円形状の可動挟板６とによって舷縁Ｓに挟着状に仮固定可能とした仮固定構造体４を有する舷縁装着型胴づき仕掛け用ハリ置き１である。
【００３９】
当該舷縁装着型胴づき仕掛け用ハリ置き１は、仮固定構造体４が、舷縁Ｓ上面と舷縁Ｓ船内側壁面とに接合可能とするよう側面形状を「Ｌ」字型とし、舷縁Ｓ船内側壁面に当接する固定挟板５を一体に形成した船内側連結体４９と、これに組み合わされて舷縁Ｓに挟着状に仮固定可能とする可動挟枠６３とからなっている。
【００４０】
船内側連結体４９は、舷縁Ｓ上面に配置され、船外側に向けて矩形筒状に開口する装着端を有し、その装着端の左右に、ハリ仮着部２２、立上り部２３およびエダス掛着部２４，２４，……が形成されたハリ置き本体２，２が、夫々舷縁Ｓ上に沿うよう延伸状に一体化されたものとなっている。そして、装着端開口部分には、側面形状を「Ｌ」字型とし、複数の位置決め孔を締め付け方向（船外側から船内側に向かう方向）に沿って等間隔毎に一個ずつ穿孔した可動挟枠６３を装着し、船内側連結体４９の装着端に螺着された固定ネジ５６を、適宜選択された位置決め孔に貫通させて仮固定できるようになっており、可動挟枠６３の舷縁Ｓ船外側壁面に対峙する端部に、舷縁Ｓ船外壁面に当接する円形の可動挟板６を先端に連結した締付けネジ６４が、貫通状に螺合されたことにより、船外側から船内側に向けて締め付け仮固定、可能とするよう進退自在に装着されたものとし、同締付けネジ６４の基端（船外側端）には円盤型の締付けハンドル６５が設けられ、締付けネジ６４の可動挟枠６３端部から締付けハンドル６５に至る外周面には、締付けハンドル６５の外径と略同じか、それよりも僅かに大きな外径寸法の円筒形に成型された伸縮自在な軟質発泡樹脂素材製のイト絡み防止カバー６６が装着されている。
【００４１】
また、船内側連結体４９の舷縁Ｓ船内側壁面に沿って下方に延伸された垂下部分の中央には、上下方向に沿って間隔調節用長孔７１が穿孔され、その左右には、上下間に渡って上位、中位、下位となる位置に夫々貫通孔からなる仮止め形状部７２，７２，……が穿孔され、所望する取付け高さ位置に配置させたミキイト用仮止め具３の船外側に突設された嵌着部７３，７３を嵌着可能とし、同ミキイト用仮止め具３の中央に穿孔された取付け孔３３を通じて船内側から、締付けナット８６を螺着させた締付けネジ８４を貫通させ、間隔調節用長孔７１の船外側に突出させた締付けネジ８４先端に、ナットが一体化された座金板８２を螺合させることにより、ミキイト用仮止め具３を船内側連結体４９の任意に選択された高さ位置に仮固定可能とする間隔調節機構７を形成したものとなっている。
【００４２】
【発明の作用】
以上のとおりの構成からなるこの発明の舷縁装着型胴づき仕掛け用ハリ置き１は、舷縁Ｓへの装着に際して、鉛直送りネジ４４の操作端をコイン溝４５にコインや工具類を利用して回動操作することにより、可動挟板６を降下（後退）移動させ、固定挟板５との距離を、舷縁Ｓの船内側上下面間寸法よりも僅かに大きく開いた後、図２中に示すように、ハリ置き本体２を舷縁Ｓ上面の所望する位置に沿うよう載置し、仮固定構造体４における固定挟板５の接合用樹脂板５２を舷縁Ｓ上面に当接状にすると共に、連結本体４１を舷縁Ｓの船内側壁面に当接させた上、コイン溝４５を介して鉛直送りネジ４４を締め付け方向に回動操作し、固定挟板５と可動挟板６との間に舷縁Ｓを挟み込むことにより、舷縁装着型胴づき仕掛け用ハリ置き１が舷縁Ｓの所望位置に仮固定される。
【００４３】
胴づき仕掛け９を保持させるには、さらに、取り付けしようとする胴づき仕掛け９のエダス９２やミキイト９１の長さに応じて間隔調節機構７を調節する必要があり、締付け金具８の締付けナット８６および締付けネジ８４を順次緩めて嵌着部７３，７３を仮止め形状部７２，７２から外し、図１中に示す、案内ボルト８１が間隔調節用長孔７１に沿って移動可能であり、ミキイト用仮止め具３を仮固定構造体４の連結本体４１に対して上下移動可能な状態とし、上位、中位、下位の中の最適となる高さ位置の仮止め形状部７２，７２まで、ミキイト用仮止め具３を移動させて嵌着部７３，７３を嵌合させた上、締付けネジ８４の頭部８７にあるコイン溝８８ならびに締付けナット８６を夫々締め付けて、図２中に示すように、ハリ置き本体２とミキイト用仮止め具３との間隔を調節、仮固定することとなる。
【００４４】
このようにして舷縁Ｓに仮固定された舷縁装着型胴づき仕掛け用ハリ置き１は、図５中に示されるように、例えばメバルやソイ用の胴づき仕掛け９を装着、保持させることが可能であり、各エダス９２，９２，……のハリ９３，９３，……は、胴づき仕掛け９の基端側から先端側に順次、略等間隔を確保するようにハリ置き本体２のハリ仮着部２２に吸着、保持され、夫々のハリ９３，９３，……の根元付近のエダス９２，９２，……の各中途部が、対応するエダス掛着部２４，２４，……に掛着されると共に、立上り部２３を鞍越え状に乗り越えて船内側に垂れ下がり状態となるが、各エダス９２，９２，……間のミキイト９１中途部を、下方に配置されたミキイト用仮止め具３の夫々対応するミキイト抱持部３４，３４，……に弾性、挟持状に保持させることにより、舷縁Ｓ上に配置されたハリ置き本体２と、舷縁Ｓ船内側壁面に配置されたミキイト用仮止め具３との間に上下掛け渡し状に保持し得る。
【００４５】
舷縁装着型胴づき仕掛け用ハリ置き１に装着、保持させた胴づき仕掛け９の各ハリ９３，９３，……に対して、モエビ、イワイソメ、青イソメ等の餌あるいはグラブ等の擬似餌を装着する際には、立上り部２３を鞍越え状となっているエダス９２の中途部を摘み上げることにより、細いハリスであっても簡単、確実にハリ仮着部２２に吸着されたハリ９３を摘み上げて餌付けを行うことが可能であり、餌や擬似餌を着け終えたハリ９３，９３，……をハリ仮着部２２に吸着させた際や、ハモ皮やサメ腸等の擬似バリを使用する場合に、図６中に示すように、ハリ置き本体２の７ｍｍ前後に及ぶ厚みが、舷縁Ｓ上面との間に程よい段差を形成していることから、餌（図中はモエビ）９４や擬似餌が舷縁Ｓ上に垂れ下がり状となってハリ９３，９３，……の吸着状態が確実に保持され、各エダス９２，９２，……の先端側中途部が、夫々個別のエダス掛着部２４，２４，……に係止されるので横ズレせずに定位置に保持される。
【００４６】
また、垂れ下がり状となった各エダス９２，９２，……に繋着されたミキイト９１の中途部は、図５中に示されるように、ミキイト用仮止め具３のミキイト抱持部３４，３４，……に弾性的に挟持されることとなって、高速で釣り場へ移動する船内の舷縁Ｓに沿って吹き上げる強風によっても、巻き上げられてしまうようなことをなくし、エダス９２，９２，……やミキイト９１が互いに絡まり、お祭り状態となってしまうことを確実に阻止する。
【００４７】
釣り場に到着した後、胴づき仕掛け９を海中に投入するときには、ミキイト９１の基端側から先端側に順次、各ミキイト抱持部３４，３４，……およびハリ仮着部２２に挟持または吸着状態に保持してあるハリ９３，９３，……およびミキイト９１を静かに引き剥がすようにして取り外し、そのまま海中に投入でき、メバルＦ，Ｆ，……を釣り上げると、図７中に示されるように、引き上げた順に各ハリ９３，９３，……を、装着の際と同様にハリ置き本体２上のハリ仮着部２２上に吸着させ、各エダス９２，９２，……を、船内側に垂れ下がり状とさせながら、ミキイト９１の中途部をミキイト用仮止め具３のミキイト抱持部３４，３４，……に順次、挟着状に保持していく。
【００４８】
そして、魚Ｆ，Ｆ，……が掛かっているエダス９２，９２は、ミキイト用仮止め具３の吊着孔３６，３６，……（容器吊下げ構造３５，３５，……）に吊着された魚受け容器３７，３７，……内に、釣れたメバルＦ，Ｆを、頭部側が上、尾鰭側を下とする姿勢で収め、暴れないように保持した状態とし、全ての魚Ｆ，Ｆ，……を魚受け容器３７，３７，……に収容した後に、魚Ｆ，Ｆ，……からハリ９３，９３，……を取り外し、他のエダス９２，９２，……と同様にハリ９３をハリ仮着部２２に吸着させ、エダス９２の中途部をエダス掛着部２４に掛着し、立上り部２３に鞍越え状に乗り越えさせて船内側に垂れ下がり状とし、対応するミキイト９１中途部をミキイト抱持部３４に挟着状に保持させ、釣り上げた魚Ｆ，Ｆ，……を暴れさせないようにしてイト絡みを防止する。
なお、各魚受け容器３７，３７，……は、底部付近の水抜き部を通じて排水させ、ミキイト用仮止め具３に不要な荷重が加わらないようにしてあり、収容されたメバルＦ，Ｆ，……は、胴づき仕掛け９をすっかり処理し終えた後、ゆっくりとクーラーボックス等の容器類に移せばよい。
【００４９】
釣りを終え、舷縁装着型胴づき仕掛け用ハリ置き１を舷縁Ｓから取り外すときには、装着していた胴づき仕掛け９を取り去った後に、図２中に示してある仮固定構造体４の鉛直送りネジ４４操作端のコイン溝４５を回動、操作して可動挟板６を降下させ、固定挟板５との間の距離を広げることによって取り外すことができ、また、図１中に示すように、固定挟板５の固定ネジ５６を取り外してハリ置き本体２の連結用舌片２５を固定挟板５から引き抜き、さらに、締付けネジ８４を案内ボルト８１から抜き外すことにより、ミキイト用仮止め具３を仮固定構造体４連結本体４１から取り外した上、図３中に示すように、固定挟板５および可動挟板６の夫々を、各皿ネジ４２ならびに水平ネジ４８を中心に回動操作して仮固定構造体４を薄型状に折り畳み、取り外したハリ置き本体２およびミキイト用仮止め具３と共に束ねた状態に取りまとめ、携行や収納に適する状態にコンパクト化してしまう。
【００５０】
また、ハリ置き本体２およびミキイト用仮止め具３は、図４中に示しているように、仮固定構造体４から取り外さず、ハリ置き本体２を固定挟板５と一体のまま回動させて折り畳み、ミキイト用仮止め具３は、一旦、締付け金具８を緩めて仮止め形状部７２，７２と嵌着部７３，７３との嵌合を解いた後、連結本体４１に平行状の姿勢となるよう略９０゜回動させ、嵌着部７３，７３の夫々を、間隔調節用長孔７１に嵌合状とするよう配置させて締付け金具８を締め付けて固定してしまい、仮固定構造体４に対し、固定挟板５、可動挟板６、ハリ置き本体２およびミキイト用仮止め具３が、共に平行状に折り畳まれたものとなり、同図中に鎖線で示されるように、固定挟板５からハリ置き本体２を取り外して仮固定構造体４と束ね合わせ、小型化してしまう。
【００５１】
図８に示した舷縁装着型胴づき仕掛け用ハリ置き１は、舷縁Ｓに装着する際に、固定ネジ５６を緩めて船内側連結体４９に対し、可動挟枠６３を進退移動させて、舷縁Ｓの船内外壁面間の肉厚寸法に対応するよう、大まかに寸法調節を行った後、可動挟枠６３の位置決め孔に固定ネジ５６を貫通させるよう締め付けて固定し、ハリ置き本体２を舷縁Ｓ上に載置状とすると共に、固定挟板５を舷縁Ｓ船内側壁面に当接状とした上、締付けハンドル６５を回動操作して締付けネジ６４を固定挟板５側へ移動させ、可動挟板６と固定挟板５との間に舷縁Ｓを挟み込み状として仮固定する。
【００５２】
さらに、間隔調節機構７は、前記実施例と略同様に、締付け金具８を緩めて間隔調節用長孔７１に沿ってミキイト用仮止め具３を上下移動させ、上位、中位、下位の何れか適宜選択した仮止め形状部７２，７２に嵌着部７３，７３を嵌合させ、締付け金具８を締め付け、仮固定する。
なお、船外側に突出状となる締付けネジ６４および締付けハンドル６５は、軟質発泡樹脂素材製のイト絡み防止カバー６６が、締付けハンドル６５付近の凹凸形状を覆い隠すと共に、締付けハンドル６５を締め付け操作する際の締付けネジ６４の進退移動に応じて自在に圧縮（伸縮）変形され、不要な隙間を生じさせず、イト絡みをなくすようにする。
【００５３】
【発明の効果】
以上のとおりの構成の舷縁装着型胴づき仕掛け用ハリ置きによれば、何よりも先ず、舷縁上面に沿って載置状となるハリ置き本体に各エダスのハリを整然と配列させるよう仮着し、舷縁船内側壁面に沿うようにした該ハリ置き本体に対して略平行状のミキイト用仮止め具に、垂れ下がり状となるエダス基端側やミキイト中途部を仮止めできるものとなって、釣り船が釣り場に向けて高速で移動するときに舷縁内側に起きる強風に煽られたとしても、エダスやミキイトが舞い上って互いに絡み合ってしまうようなことを確実に防ぐことができる上、ミキイト仮止め具は、仮固定構造体に対して間隔調節機構を介して取り付けられ、ハリ置き本体との距離を、装着する胴づき仕掛けのエダスやミキイトの長さに応じて自在に変更することができることから、より確実にイト絡みを防止することができるという秀れた特徴が得られるものである。
【００５４】
また、この発明のエダス間ミキイト用仮止め具によれば、ハリ置き本体から適宜間隔を隔てた舷縁船内壁面に、ハリ置き本体に略平行状に装着可能とした枝状体に沿ってミキイト抱持部を設けてあることから、大型化を招くパネル形状とすることなく、最小限度の構成要素によって舷縁の船内側に垂れ下がり状となる各エダス間のミキイト中途部を仮止め可能とすることができ、しかもミキイト抱持部を、相対して当接あるいは交叉状となる一対の湾曲状弾性把持片から形成したものとして、ミキイト中途部の仮り止め、および取り外し作業が簡単、確実なものとなって複雑な形状の胴づき仕掛けを、より迅速且つ正確に取り扱うことができるという大きな特徴を発揮することになる。
【００５５】
さらには、枝状体に沿った適宜間隔置き毎に容器吊下げ構造を設け、複数の魚受け容器を脱着自在に吊り下げ可能としたことから、鈴生りに釣り上げられたときの魚を、暴れないよう一時的に魚受け容器に収容しておきながら、各エダスを順次ハリ置き本体とミキイト用仮止め具との間に掛け渡すように装着し、夫々の魚からハリを外してハリ置き本体に吸着させた後に、魚をクーラーボックス等へ移すことができるというように、平易な作業手順によって整然と釣り上げ作業を行うことができるようになるという秀れた効果を奏するものである。
【００５６】
特に、実施例に説明した舷縁装着型胴づき仕掛け用ハリ置き１、およびそれに用いるエダス間ミキイト用仮止め具３は、上記した特徴に加え、基板部２１の船外側長辺縁に沿ってハリ仮着部２２を配置した構造により、餌９４を着けたハリ９３を吸着させた場合に、図６中に示したように、餌９４が基板部２１の縁部から舷縁Ｓ上に垂れ下がり状となってハリ９３の浮き上がりを防止し、餌９４を着けていないときと略同等の吸着力を確保することができ、しかも船内側配置となる長辺縁に立上り部２３を形成してあって、一本一本のエダス９２，９２，……が夫々鞍越え載置状となって摘み上げ易くなり、揺れる船上であっても個々のエダス９２，９２，……を容易に取り扱うことができると共に、各エダス９２，９２，……中途部が、エダス掛着部２４，２４，……に夫々掛止されて視認性に秀れることから、エダス９２の取り間違いをなくすことができる上、左右へのズレ動きが阻止されてエダス９２，９２，……同士の絡み合いを確実に防止できるという利点が得られるものとなる。
【００５７】
ハリ置き本体２を固定挟板５に仮固定する固定ネジ５６は、その頭部を、図３中に示したように、補強板５１に形成された皿孔５４に埋設状で、固定挟板５の上面に面一状となるよう螺着されたものとし、また、連結本位４１の下端に突出する鉛直送りネジ４４の操作端、および間隔調節機構７の締付け金具８における締付けネジ８４の頭部（操作端）の夫々にコイン溝４５，８８を形成してなるものとしたことから、突出部分を極力無くして不要なイト絡みを阻止し、胴づき仕掛け９の破損や切断を未然に防止できるという効果がもたらされる。
【００５８】
また、図３および図４中に示したもののように、固定挟板５および可動挟板６の夫々を連結本体４１に対して回動自在な構造にすると共に、ハリ置き本体２ならびにミキイト用仮止め具３を、仮固定構造体４に対して回動、折り畳み可能な構造としたり、仮固定構造体４に対して脱着可能な構造としたものでは、容易に折り畳んで小型化したり、分解して束ね合わせたりして携行に便利な荷姿とすることができるという実用的な効果を得ることができる。
【００５９】
叙述の如く、この発明の舷縁装着型胴づき仕掛け用ハリ置き、およびそれに用いるエダス間ミキイト用仮止め具は、その新規な構成によって所期の目的を遍く達成可能とするものであり、しかも製造も容易であって廉価に提供することが可能な上、胴づき仕掛けの取扱い作業の効率を格段に向上させることができて、船上での貴重な時間を有効に活用して大きな釣果を得る機会が得られるようにするものとなり、ベテランからビギナーまでの幅広い層の釣り人からは固よりのこと、釣り具業界からも高く評価され、広範に渡って利用、普及していくものになると予想される。
【図面の簡単な説明】
図面は、この発明の舷縁装着型胴づき仕掛け用ハリ置き、およびそれに用いるエダス間ミキイト用仮止め具の技術的思想を具現化した代表的な幾つかの実施例を示すものである。
【図１】舷縁装着型胴づき仕掛け用ハリ置きの分解状態を示す斜視図である。
【図２】舷縁に装着された胴づき仕掛け用ハリ置きを示す斜視図である。
【図３】仮固定構造体を断面化して示す側面図である。
【図４】折り畳まれた胴づき仕掛け用ハリ置きを示す側面図である。
【図５】舷縁装着型胴づき仕掛け用ハリ置きの使用状態を示す斜視図である。
【図６】使用状態にあるハリ置き本体を示す側面図である。
【図７】魚を釣り上げた胴づき仕掛けの装着状態を示す斜視図である。
【図８】舷縁装着型胴づき仕掛け用ハリ置きの変形例を示す斜視図である。
【符号の説明】
１      舷縁装着型胴づき仕掛け用ハリ置き
２      ハリ置き本体２
２１    同  基板部
２２    同  ハリ仮着部
２３    同  立上り部
２４    同  エダス掛着部
２５    同  連結用舌片
２６    同  横ズレ防止リブ
２７    同  固定孔
３      ミキイト用仮止め具
３１    同  枝状体
３２    同  補強リブ
３３    同  取付け孔
３４    同  ミキイト抱持部（対をなす湾曲状弾性把持片）
３５    同  容器吊下げ構造
３６    同  吊着孔
３７    同  魚受け容器
４      仮固定構造体
４１    同  連結本体
４２    同  皿ネジ
４３    同  ナット
４４    同  鉛直送りネジ
４５    同  コイン溝（操作端）
４６    同  送りナット
４７    同  緊定用長孔
４８    同  水平ネジ
４９    同  船内側連結体
５      固定挟板
５１    同  補強板
５２    同  接合用樹脂板
５３    同  連結溝
５４    同  皿孔
５５    同  ネジ孔
５６    同  固定ネジ
６      可動挟板
６１    同  補強板
６２    同  接合用樹脂板
６３    同  可動挟枠
６４    同  締付けネジ
６５    同  締付けハンドル
６６    同  イト絡み防止カバー
７      間隔調節機構
７１    同  間隔調節用長孔
７２    同  仮止め形状部
７３    同  嵌着部
８      締付け金具
８１    同  案内ボルト
８２    同  座金板
８３    同  緩み止め用ワッシャー
８４    同  締付けネジ
８５    同  ナット用ネジ山範囲
８６    同  締付けナット
８７    同  頭部（操作端）
８８    同  コイン溝
８９    同  ネジ孔
９      胴づき仕掛け
９１    同  ミキイト
９２    同  エダス
９３    同  ハリ
９４    同  餌
Ｆ      メバル（魚）
Ｓ      舷縁
【図１】
2004337109.tif 000003
【図２】
2004337109.tif 000004
【図３】
2004337109.tif 000005
【図４】
2004337109.tif 000006
【図５】
2004337109.tif 000007
【図６】
2004337109.tif 000008
【図７】
2004337109.tif 000009
【図８】
2004337109.tif 000010